(57)【要約】【課題】適切なタイミングでユーザに対し情報を通知する。【解決手段】情報通知システム（１）は、場所属性識別情報を含む信号を送信するＢＬＥモジュール（４１０）を備える自動ドアシステム（４０）と、受信情報を送信する受信情報生成部（１０１）と表示情報を表示させる対応情報受信部（１０２）とを備える携帯通信端末（１０）と、受信情報を受信したとき対応情報を通知する対応情報送信部（５０３）を備える情報通知サーバ（５０）とを備える。【選択図】図３
2019159496.tif 000002
【特許請求の範囲】
【請求項１】
自動ドアシステムと、携帯通信端末と、情報通知サーバとを含む情報通知システムであって、
前記自動ドアシステムは、
自動ドアと、
近距離無線通信により、自機の設置場所を判別させるための場所属性識別情報を含む信号を送信する信号発信装置と、を備え、
前記携帯通信端末は、
前記信号発信装置から発信された前記信号を受信する端末受信部と、
前記端末受信部が前記信号を受信したとき、前記場所属性識別情報を含む受信情報を前記情報通知サーバに送信する送信部と、
前記情報通知サーバから通知された対応情報に基づいて表示情報を表示する表示部と、を備え、
前記情報通知サーバは、
前記携帯通信端末から前記受信情報を受信するサーバ受信部と、
前記サーバ受信部が前記受信情報を受信したとき、前記携帯通信端末に対し、前記場所属性識別情報と対応付けられた対応情報を通知する通知部と、を備えていることを特徴とする情報通知システム。
【請求項２】
前記携帯通信端末の前記送信部は、前記受信情報にユーザを識別するユーザ識別情報または自端末を識別する端末識別情報を含めて送信し、
前記情報通知サーバの前記通知部は、前記ユーザ識別情報または前記端末識別情報と、前記場所属性識別情報とに対応する前記対応情報を通知することを特徴とする請求項１に記載の情報通知システム。
【請求項３】
前記通知部は、前記自動ドアが開かれたことに連動して前記対応情報の通知を行うことを特徴とする請求項１または２に記載の情報通知システム。
【請求項４】
前記情報通知サーバは、前記自動ドアが開いたことを示す開情報を取得する取得部を備え、
前記通知部は、前記サーバ受信部が前記受信情報を受信し、前記取得部が前記開情報を取得したとき、前記自動ドアが開かれたとして、前記携帯通信端末に対し、前記対応情報を通知することを特徴とする請求項２に記載の情報通知システム。
【請求項５】
前記信号発信装置は、前記自動ドアが開いたことを示す開情報を含めて前記信号を発信し、
前記信号に前記開情報が含まれている場合、前記携帯通信端末は、前記受信情報に前記開情報を含めて送信し、
前記通知部は、前記受信情報に前記開情報が含まれている場合、前記自動ドアが開かれたとして、前記携帯通信端末に対し、当該携帯通信端末と対応付けられた対応情報を通知することを特徴とする請求項２に記載の情報通知システム。
【請求項６】
前記自動ドアは、人が近づいたことを検知しドアを開くための起動センサを備え、
前記信号発信装置は、前記起動センサによる検知結果と連動して前記信号を発信することを特徴とする請求項１〜４のいずれか１項に記載の情報通知システム。
【請求項７】
前記情報通知サーバは前記対応情報を抽出する対応情報抽出部を備え、
前記対応情報抽出部は、前記携帯通信端末のユーザに対応付けられた履歴情報を用いて前記対応情報を抽出することを特徴とする請求項１〜５のいずれか１項に記載の情報通知システム。
【請求項８】
前記対応情報は、前記携帯通信端末のユーザが予め登録した情報であることを特徴とする請求項１〜６のいずれか１項に記載の情報通知システム。
【請求項９】
携帯通信端末と情報通知サーバとを含む情報通知システムに含まれる自動ドアシステムであって、
自動ドアと、
近距離無線通信により、自機の設置場所を判別させるための場所属性識別情報を含む信号を送信する信号発信装置と、を備え、
前記信号発信装置は、前記自動ドアが開かれたことを示す開情報を含めて前記信号を発信することを特徴とする自動ドアシステム。
【請求項１０】
携帯通信端末と情報通知サーバとを含む情報通知システムに含まれる自動ドアシステムであって、
自動ドアと、
人が近づいたことを検知しドアを開くための起動センサと、
近距離無線通信により、自機の設置場所を判別させるための場所属性識別情報を含む信号を送信する信号発信装置と、を備え、
前記信号発信装置は、前記起動センサによる検知結果と連動して前記信号を発信することを特徴とする自動ドアシステム。
【請求項１１】
信号発信装置から発信された当該信号発信装置の設置場所を判別させるための場所属性識別情報と、前記信号発信装置が備えられた自動ドアシステムにおける自動ドアが開かれたことを示す開情報とを含む信号を受信した携帯通信端末が当該信号を受信したときに、当該携帯通信端末から、前記場所属性識別情報および前記開情報を含む受信情報を受信するサーバ受信部と、
前記受信情報に前記開情報が含まれている場合、前記場所属性識別情報を用いて対応情報を抽出する対応情報抽出部と、
抽出した前記対応情報を前記携帯通信端末に通知する通知部と、を備えていることを特徴とする情報通知サーバ。
【発明の詳細な説明】
【技術分野】
【０００１】
本発明は、入店者に対し情報を通知する情報通知システム等に関する。
【背景技術】
【０００２】
従来、店舗にビーコン信号発信機を備え、ユーザが所持するスマートフォン等の携帯通信端末でビーコン信号を受信することにより、ユーザの来店を検知し、当該携帯通信端末にクーポンを配信したり、ユーザの来店状況の分析に利用したりする技術が知られている。
【０００３】
例えば、特許文献１には、入店者を特定して、当該入店者に対応する情報を通知する構成が記載されている。具体的には、特許文献１には、店舗の識別情報を含む信号を受信した携帯端末から入店者を特定する入店者識別情報を取得し、入店者識別情報に基づいて会員登録の有無を判断し、会員登録されていない場合は、会員登録を促す通知を携帯端末に送信する入店検知システムが記載されている。
【先行技術文献】
【特許文献】
【０００４】
【特許文献１】特許６０４５７３０号公報（２０１６年１１月２５日登録）
【発明の概要】
【発明が解決しようとする課題】
【０００５】
しかしながら、上述のような従来技術は以下の問題がある。特許文献１の構成は、会員登録を促す通知を送信するものである。よって、入店者に送信できればよく、どのタイミングで送信するかまでは記載されていない。通知する情報の内容によっては、送信するタイミングが重要な場合もあり、特許文献１では、このような場合に対応することができない。
【０００６】
本発明の一態様は、上記の課題に鑑みてなされたものであり、その目的は、適切なタイミングでユーザに対し情報を通知する情報通知システム等を実現することにある。
【課題を解決するための手段】
【０００７】
上記の課題を解決するために、本発明の一態様に係る情報通知システムは、自動ドアシステムと、携帯通信端末と、情報通知サーバとを含む情報通知システムであって、前記自動ドアシステムは、自動ドアと、近距離無線通信により、自機の設置場所を判別させるための場所属性識別情報を含む信号を送信する信号発信装置と、を備え、前記携帯通信端末は、前記信号発信装置から発信された前記信号を受信する端末受信部と、前記端末受信部が前記信号を受信したとき、前記場所属性識別情報を含む受信情報を前記情報通知サーバに送信する送信部と、前記情報通知サーバから通知された対応情報に基づいて表示情報を表示する表示部と、を備え、前記情報通知サーバは、前記携帯通信端末から前記受信情報を受信するサーバ受信部と、前記サーバ受信部が前記受信情報を受信したとき、前記携帯通信端末に対し、前記場所属性識別情報と対応付けられた対応情報を通知する通知部と、を備えていることを特徴としている。
【０００８】
前記の構成によれば、自動ドアに設置された信号発信装置から発信された信号を受信した携帯通信端末は、場所属性識別情報を含む受信情報を情報通知サーバに送信する。そして、情報通知サーバから場所属性識別情報に対応する対応情報を受信する。信号発信装置から発信される信号は、近距離無線通信により発信されるので、携帯通信端末が自動ドアに設置された信号発信装置から発信された信号を受信するのは携帯通信端末を所持したユーザがまさに当該自動ドアを通過しようとしたときである。よって、自動ドアを通過しようとしたとき、すなわち、当該自動ドアの内部（例えば、店内）に入る、または入ったユーザに対し、ユーザが店内に入るタイミングで通知することができる。換言すれば、適切なタイミングでユーザに対し対応情報を通知することができる。
【０００９】
本発明の一態様に係る情報通知システムでは、前記携帯通信端末の前記送信部は、前記受信情報にユーザを識別するユーザ識別情報または自端末を識別する端末識別情報を含めて送信し、前記情報通知サーバの前記通知部は、前記ユーザ識別情報または前記端末識別情報と、前記場所属性識別情報とに対応する前記対応情報を通知するものであってもよい。
【００１０】
前記の構成によれば、ユーザ識別情報または端末識別情報に対応した対応情報、すなわちユーザに対応した対応情報を当該ユーザに対し通知することができる。
【００１１】
本発明の一態様に係る情報通知システムでは、前記通知部は、前記自動ドアが開かれたことに連動して前記対応情報の通知を行うものであってもよい。
【００１２】
前記の構成によれば自動ドアの開に連動して対応情報の通知を行う。自動ドアが開かれたということは、ユーザが自動ドアを通過した、すなわちユーザが入店したということができる。よって、店内に入った可能性が高いユーザに対し、対応情報を通知することができる。
【００１３】
本発明の一態様に係る情報通知システムでは、前記情報通知サーバは、前記自動ドアが開いたことを示す開情報を取得する取得部を備え、前記通知部は、前記サーバ受信部が前記受信情報を受信し、前記取得部が前記開情報を取得したとき、前記自動ドアが開かれたとして、前記携帯通信端末に対し、前記対応情報を通知するものであってもよい。
【００１４】
前記の構成によれば、自動ドアが開かれたことを確実に取得して、店内に入った可能性が高いユーザに対し対応情報を通知することができる。
【００１５】
本発明の一態様に係る情報通知システムでは、前記信号発信装置は、前記自動ドアが開いたことを示す開情報を含めて前記信号を発信し、前記信号に前記開情報が含まれている場合、前記携帯通信端末は、前記受信情報に前記開情報を含めて送信し、前記通知部は、前記受信情報に前記開情報が含まれている場合、前記自動ドアが開かれたとして、前記携帯通信端末に対し、当該携帯通信端末と対応付けられた対応情報を通知するものであってもよい。
【００１６】
前記の構成によれば、開情報を含む信号を自動ドアに設置された信号発信装置から発信する。よって、自動ドアと情報通知サーバとが通信可能に接続されていない場合であっても、店内に入った可能性が高いユーザに対し対応情報を通知することができる。
【００１７】
本発明の一態様に係る情報通知システムでは、前記自動ドアは、人が近づいたことを検知しドアを開くための起動センサを備え、前記信号発信装置は、前記起動センサによる検知結果と連動して前記信号を発信するものであってもよい。
【００１８】
前記の構成によれば、起動センサの検知結果と連動して信号を発信するので、起動センサが検知対象を検知した場合、すなわち、人が来た場合のみ信号を発信することができる。これにより、信号発信に伴う消費電力を抑制することができる。
【００１９】
本発明の一態様に係る情報通知システムでは、前記情報通知サーバは前記対応情報を抽出する対応情報抽出部を備え、前記対応情報抽出部は、前記携帯通信端末のユーザに対応付けられた履歴情報を用いて前記対応情報を抽出するものであってもよい。
【００２０】
前記の構成によれば、ユーザに対応付けられた履歴情報を用いて前記対応情報を抽出するので、ユーザ毎に、ユーザに対応させた対応情報を通知することができる。これにより、全てのユーザに対し同じものを通知する場合よりも、ユーザの意欲を刺激することができる。
【００２１】
本発明の一態様に係る情報通知システムでは、前記対応情報は、前記携帯通信端末のユーザが予め登録した情報であってもよい。
【００２２】
前記の構成によれば、ユーザ独自の情報を通知することができる。例えば、ユーザが買い物リストを予め登録しておけば、当該買い物リストを入店時に通知することができる。
【００２３】
上記課題を解決するために、本発明の一態様に係る自動ドアシステムは、携帯通信端末と情報通知サーバとを含む情報通知システムに含まれる自動ドアシステムであって、自動ドアと、近距離無線通信により、自機の設置場所を判別させるための場所属性識別情報を含む信号を送信する信号発信装置と、を備え、前記信号発信装置は、前記自動ドアが開かれたことを示す開情報を含めて前記信号を発信することを特徴としている。
【００２４】
前記の構成によれば、自動ドアが開かれたことを示す開情報を含む信号を発信する。よって、発信した信号を受信した携帯通信端末において、開情報を含む信号を受信したことをトリガーとして対応情報を取得すれば、携帯通信端末を所持したユーザがまさに当該自動ドアを通過しようとしたときに対応情報を取得することができる。よって、適切なタイミングでユーザに対し対応情報を通知することができる。
【００２５】
上記課題を解決するために、本発明の一態様に係る自動ドアシステムは、携帯通信端末と情報通知サーバとを含む情報通知システムに含まれる自動ドアシステムであって、自動ドアと、人が近づいたことを検知しドアを開くための起動センサと、近距離無線通信により、自機の設置場所を判別させるための場所属性識別情報を含む信号を送信する信号発信装置と、を備え、前記信号発信装置は、前記起動センサによる検知結果と連動して前記信号を発信するものであってもよい。
【００２６】
前記の構成によれば、自動ドアが開かれるときに信号を発信する。よって、発信した信号を受信した携帯通信端末において、信号を受信したことをトリガーとして対応情報を取得すれば、携帯通信端末を所持したユーザがまさに当該自動ドアを通過しようとしたときに対応情報を取得することができる。よって、適切なタイミングでユーザに対し対応情報を通知することができる。
【００２７】
上記課題を解決するために、本発明の一態様に係る情報通知サーバは、信号発信装置から発信された当該信号発信装置の設置場所を判別させるための場所属性識別情報と、前記信号発信装置が備えられた自動ドアシステムにおける自動ドアが開かれたことを示す開情報とを含む信号を受信した携帯通信端末が当該信号を受信したときに、当該携帯通信端末から、前記場所属性識別情報および前記開情報を含む受信情報を受信するサーバ受信部と、前記受信情報に前記開情報が含まれている場合、前記場所属性識別情報を用いて対応情報を抽出する対応情報抽出部と、抽出した前記対応情報を前記携帯通信端末に通知する通知部と、を備えていることを特徴としている。
【００２８】
前記の構成によれば、携帯通信端末が信号を受信したときに、当該携帯通信端末から場所属性識別信号および開情報を含む受信情報を受信すると、対応情報を抽出し、当該携帯通信端末に送信する。よって、携帯通信端末では、信号を受信すると、対応情報を確認することができる。すなわち、適切なタイミングでユーザに対し対応情報を通知することができる。
【００２９】
本発明の各態様に係る携帯通信端末および情報通知サーバは、コンピュータによって実現してもよく、この場合には、コンピュータを上記携帯通信端末または情報通知サーバが備える各部（ソフトウェア要素）として動作させることにより上記携帯通信端末または情報通知サーバをコンピュータにて実現させる携帯通信端末の制御プログラム、情報通知サーバの制御プログラム、およびこれらの少なくとも何れかを記録したコンピュータ読み取り可能な記録媒体も、本発明の範疇に入る。
【発明の効果】
【００３０】
本発明の一態様によれば、自動ドアを通過しようとしたとき、すなわち、当該自動ドアの内部（例えば、店内）に入る、または入ったユーザに対し、当該ユーザに対応した情報を、ユーザが店内に入るタイミングで通知することができるという効果を奏する。換言すれば、適切なタイミングでユーザに対し対応情報を通知することができるという効果を奏する。
【図面の簡単な説明】
【００３１】
【図１】本発明の実施形態に係る情報通知システムの概要を示す図である。
【図２】上記情報通知システムに含まれる自動ドアシステムの要部構成を示すブロック図である。
【図３】上記情報通知システムに含まれる携帯通信端末および情報通知サーバの要部構成を示すブロック図である。
【図４】（ａ）はユーザ対応テーブルの例を示す図であり、（ｂ）はユーザ情報の例を示す図であり、（ｃ）は対応情報の例を示す図である。
【図５】上記情報通知システムにおける処理の流れを示すシーケンス図である。
【発明を実施するための形態】
【００３２】
〔全体概要〕
まず、図１を参照して本実施形態に係る情報通知システム１の全体概要について説明する。図１は、情報通知システム１の全体概要を示す図である。図１に示すように、情報通知システム１には、携帯通信端末１０、自動ドアシステム４０、および情報通知サーバ５０が含まれる。
【００３３】
情報通知システム１では、自動ドアシステム４０にＢＬＥモジュール４１０が備えられており、ＢＬＥモジュール４１０はビーコン信号を周期的に発信している。
【００３４】
そして、携帯通信端末１０にてビーコン信号を受信すると、携帯通信端末１０は、ビーコン信号に含まれる場所属性識別情報と携帯通信端末１０自身を識別するための端末識別情報とを含む受信情報を情報通知サーバ５０に送信する。
【００３５】
受信情報を受信した情報通知サーバ５０は、受信情報に含まれる端末識別情報を用いて、ユーザに対応する対応情報を抽出し、携帯通信端末１０に送信する。これにより、ユーザが自動ドアシステム４０を通過するタイミングでユーザに対応した対応情報を当該ユーザに通知することができる。
【００３６】
〔自動ドアシステム４０の構成〕
次に、図２を参照して、自動ドアシステム４０の要部構成について説明する。図２は、自動ドアシステム４０の要部構成を示すブロック図である。図２に示すように、自動ドアシステム４０はＢＬＥモジュール（信号発信装置）４１０、ドアシステム設定部４３０、ドアセンサ部（起動センサ）４４０、およびドア制御部４５０を含み、ＣＡＮ通信網４００により、これらが通信可能に接続されている。
【００３７】
ＣＡＮ通信網４００とは、ＣＡＮ（Controller Area Network）により接続された装置が相互に通信可能な通信網である。
【００３８】
ＢＬＥモジュール４１０は、近距離無線通信の１つであるＢＬＥ（Bluetooth（登録商標） Low Energy）を用いて信号を送信可能なモジュールである。ＢＬＥモジュール４１０から送信される信号には、ＢＬＥモジュール４１０が備えられた自動ドアシステム４０の設置場所の属性を識別するための場所属性識別情報が含まれる。例えば、ＢＬＥモジュール４１０から送信される信号がビーコン信号の場合、ＵＵＩＤ（Universally Unique IDentifier）、Ｍａｊｏｒ値、Ｍｉｎｏｒ値、および信号強度の情報であるＲＳＳＩとが含まれる。ＵＵＩＤはＢＬＥモジュールを識別するための識別子であり、Ｍａｊｏｒ値、およびＭｉｎｏｒ値は、さらに細かな情報（場所、位置）を示すものである。また、ＲＳＳＩは信号強度を取得するための情報である。したがって、ＵＵＩＤ、Ｍａｊｏｒ値、およびＭｉｎｏｒ値を総称して場所属性識別情報と呼ぶことができる。場所属性識別情報を受信した側は、当該場所属性識別情報から対応するＢＬＥモジュール４１０がどこに存在するか、またはどんな店舗に設置されているか等を判別することができるためである。
【００３９】
なお、ＢＬＥ以外の近距離無線通信を用いてビーコン信号を送信する構成であってもよい。また、本実施形態では、到達距離が数十メートル程度の無線通信（いわゆる、無線ＰＡＮと呼ばれる通信）を近距離無線通信と呼ぶ。すなわち、近距離無線通信とは、特定の規格の無線通信に限定されるものではなく、到達距離が数ｃｍから数十ｍ程度（例えば、２０ｍ程度）となる無線通信を示す。
【００４０】
ドアシステム設定部４３０は、自動ドアシステム４０の設定を行う。設定内容としては、後述するドアセンサ部４４０の感度、検出領域、ドアの静止時間、ドアの開閉速度、トルク等が挙げられる。
【００４１】
ドアセンサ部４４０は、人を検知したときにドア部（自動ドア）４７０を開くためのセンサである。
【００４２】
ドア制御部４５０は、後述するドア駆動部４６０を制御する。ドア駆動部４６０は、ドア制御部４５０の制御により駆動することによりドア部４７０を開閉する。ドア部４７０はドアである。ドアは、引き戸式であってもよいし、回転式であってもよいし、開き戸式であってもよい。
【００４３】
なお、上記では、ＣＡＮ通信網４００を用いる構成として説明したが、自動ドアシステム４０はこれに限られるものではない。制御部を備え、当該制御部が自動ドアシステム４０全体を統括して制御することにより、メンテナンス情報の検出、送信等を行う構成であってもよい。
【００４４】
〔携帯通信端末１０の構成〕
次に、図３を参照して携帯通信端末１０および情報通知サーバ５０の要部構成について説明する。図３は、携帯通信端末１０および情報通知サーバ５０の要部構成を示すブロック図である。図３に示すように、携帯通信端末１０は、プロセッサ１００、メモリ１１０、ＢＬＥモジュール１２０、タッチパネルディスプレイ（表示部）１３０、およびネットワークモジュール１４０を含む。
【００４５】
ＢＬＥモジュール１２０は、自動ドアシステム４０のＢＬＥモジュール４１０から送信されたビーコン信号を受信するとともに、受信したビーコン信号に応じてＢＬＥモジュール４１０に対して返答信号を送信する。
【００４６】
プロセッサ１００は、携帯通信端末１０における各種情報処理および制御を行う。また、メモリ１１０はそのために必要なデータや各種プログラムを記憶する。また、プロセッサ１００は受信情報生成部（端末受信部、送信部）１０１および対応情報受信部１０２を含む。
【００４７】
受信情報生成部１０１は、ＢＬＥモジュール１２０を介して受信したビーコン信号に含まれる場所属性識別情報と、携帯通信端末１０自身を識別するための端末識別情報またはユーザを識別するためのユーザ識別情報とを用いてビーコン信号を受信した旨を示す受信情報を生成し、ネットワークモジュール１４０に送信する。ユーザ識別情報は、例えば、特定のアプリケーションを利用するために登録されたログインＩＤ等を用いることができる。
【００４８】
対応情報受信部１０２は、ネットワークモジュール１４０を介して情報通知サーバ５０から対応情報を受信し、表示情報としてタッチパネルディスプレイ１３０に表示させる。なお、対応情報受信部１０２は対応情報そのものを表示情報としてタッチパネルディスプレイ１３０に表示させてもよいし、対応情報を表示情報に変換してタッチパネルディスプレイ１３０に表示させてもよい。例えば、対応情報がクーポンである場合、当該クーポンをタッチパネルディスプレイ１３０に表示させてもよい。また、対応情報が特定のコードを示すものであり、対応情報受信部１０２において、当該コードからクーポン用のバーコードを生成し、タッチパネルディスプレイ１３０に表示させてもよい。なお、当該機能は特定のアプリケーションにより実行されてもよい。
【００４９】
さらに、対応情報として、表示情報がアップロードされたＷｅｂページのアドレスを受信し、携帯通信端末１０から当該アドレスにアクセスすることにより、表示情報がタッチパネルディスプレイ１３０に表示されるようになっていてもよい。
【００５０】
タッチパネルディスプレイ１３０は、ユーザによる操作入力をタッチパネルによって受け付けるとともに、ディスプレイによる画像表示を行う。
【００５１】
ネットワークモジュール１４０は、ネットワークを介して情報通知サーバ５０との通信を行う。ネットワークはどのようなものであってもよく、例えば、無線ＬＡＮとインターネットによって構成されていてもよく、ＬＴＥ通信網とインターネットによって構成されていてもよい。
【００５２】
〔情報通知サーバ５０の構成〕
次に、図３を参照して、情報通知サーバ５０の要部構成について説明する。図３に示すように、情報通知サーバ５０は、プロセッサ５００、メモリ５１０、およびネットワークモジュール５２０を含む。
【００５３】
プロセッサ５００は、情報通知サーバ５０における各種情報処理および制御を行う。また、メモリ５１０はそのために必要なデータや各種プログラムを記憶するとともに、ユーザ対応テーブル５１１、ユーザ情報５１２、および対応情報５１３を記憶する。
【００５４】
ユーザ対応テーブル５１１は、端末識別情報とユーザとを対応付けたテーブルである。図４の（ａ）に、ユーザ対応テーブル５１１の例を示す。図４の（ａ）に示すユーザ対応テーブル５１１では、端末識別情報「１１１２２２」とユーザ「Ａ」とが対応付けられ、端末識別情報「２２２３３３」とユーザ「Ｂ」とが対応付けられている。
【００５５】
ユーザ情報５１２には、ユーザに対応する履歴情報を示すデータ格納されている。ユーザに対応する履歴情報として例えば、ユーザの買物履歴等が挙げられる。図４の（ｂ）に履歴情報の例を示す。図４の（ｂ）に示すの例では、履歴情報として、買物データが格納されている。具体的には、「Ａさん」〜「Ｄさん」までの買物履歴が格納されている。
【００５６】
対応情報５１３には、携帯通信端末１０に送信する対応情報が格納されている。対応情報としては例えば、クーポン、お得情報等が挙げられる。図４の（ｃ）に対応情報５１３の例を示す。図４の（ｃ）に示す対応情報５１３の例では、対応情報として「牛乳特売クーポン」、「卵特売クーポン」、「冷凍食品特売クーポン」、「スイーツ特売クーポン」が格納されている。
【００５７】
また、プロセッサ１００は、受信情報受信部（サーバ受信部）５０１、対応情報抽出部５０２、および対応情報送信部（通知部）５０３を含む。
【００５８】
受信情報受信部５０１は、ネットワークモジュール５２０を介して携帯通信端末１０から受信情報を受信し、対応情報抽出部５０２に通知する。
【００５９】
対応情報抽出部５０２は、受信情報に含まれる場所属性識別情報、および端末識別情報を用いて、対応情報を抽出し、抽出した対応情報を対応情報送信部５０３に通知する。
または、対応情報抽出部５０２は、受信情報に含まれる場所属性識別情報、およびユーザ識別情報を用いて、対応情報を抽出し、抽出した対応情報を対応情報送信部５０３に通知する。例えば、端末識別情報を用いる場合、対応情報抽出部５０２は、ユーザ対応テーブル５１１を参照して、受信情報に含まれる端末識別情報と対応するユーザを決定する。ここでは仮に「Ａ」とする。次に、対応情報抽出部５０２は、決定したユーザＡの場所属性識別情報に対応するユーザ情報５１２を確認する。ここでは、当該店舗における「Ａさんの買物履歴」を参照する。そして、「Ａさんの買物履歴」を参照した結果、例えばスイーツの購入回数が多いことが認識できた場合、対応情報抽出部５０２は、対応情報５１３の「スイーツ特売クーポン」を対応情報として抽出する。なお、ユーザ識別情報を用いる場合、ユーザを決定する処理は不要である。
【００６０】
これにより、ユーザに対応した対応情報を適切に抽出することができる。
【００６１】
なお、対応情報の抽出方法は上述した方法に限られるものではなく、例えば、前回の購入日から所定期間以上経過している物に関する対応情報を抽出してもよい。また、曜日等によって抽出する対応情報を決定してもよい（毎週月曜日には牛乳を購入するという場合に、月曜に牛乳のクーポンを抽出する）。
【００６２】
対応情報送信部５０３は、対応情報抽出部５０２から通知された対応情報を、ネットワークモジュール５２０を介して携帯通信端末１０に送信する。
【００６３】
ネットワークモジュール５２０は、ネットワークを介して携帯通信端末１０との通信を行う。ネットワークはどのようなものであってもよく、例えば、無線ＬＡＮとインターネットによって構成されていてもよく、ＬＴＥ通信網とインターネットによって構成されていてもよい。
【００６４】
〔情報通知システム１における処理の流れ〕
次に、図５を参照して情報通知システム１における処理の流れを説明する。図５は情報通知システム１における処理の流れを示すシーケンス図である。図５に示すように、情報通知システム１では、自動ドアシステム４０に備えられているＢＬＥモジュール４１０からビーコン信号が周期的に送信されている（Ｓ１０１）。
携帯通信端末１０は、ビーコン信号を受信すると（Ｓ２０１でＹＥＳ）、携帯通信端末１０の受信情報生成部１０１は、ビーコン信号に含まれる場所属性識別情報と、携帯通信端末１０自身を識別するための端末識別情報とを用いて受信情報を作成する（Ｓ２０２）。そして、受信情報生成部１０１は、作成した受信情報を情報通知サーバ５０に送信する（Ｓ２０３）。
【００６５】
情報通知サーバ５０は、携帯通信端末１０から受信情報を受信すると（Ｓ３０１でＹＥＳ）、対応情報抽出部５０２が受信情報に含まれる端末識別情報を用いて対応情報５１３から対応情報を抽出する（Ｓ３０２）。そして、対応情報送信部５０３は、対応情報を携帯通信端末１０に送信する（Ｓ３０３）。
【００６６】
携帯通信端末１０は対応情報を受信すると（Ｓ２０４）、対応情報に基づく表示情報をタッチパネルディスプレイ１３０に表示する（Ｓ２０５）。
【００６７】
以上のように、本実施形態に係る情報通知システム１では、自動ドアシステム４０にＢＬＥモジュール４１０が備えられている。よって、ＢＬＥモジュール４１０から発信された信号を携帯通信端末１０が受信した場合、当該携帯通信端末１０は自動ドアシステム４０の近傍に存在することになる。そして、携帯通信端末１０はＢＬＥモジュール４１０から信号を受信すると、受信情報を情報通知サーバ５０に送信し、情報通知サーバ５０から対応情報を受信する。
【００６８】
したがって、携帯通信端末１０のユーザは、自動ドアシステム４０の近傍にいるとき、換言すれば、自動ドアシステム４０の自動ドアを通過する、または通過したというそのタイミングで対応情報を確認することができる。
【００６９】
一方、従来技術のように自動ドアシステム４０にＢＬＥモジュール４１０が備えられていない場合、上述したタイミングで対応情報を受信することができず、上述した効果を奏することはできない。
【００７０】
〔変形例１〕
上述した実施形態では、情報通知サーバ５０は、携帯通信端末１０から受信情報を受信したときに、対応情報を送信していた。
【００７１】
本変形例では、情報通知サーバ５０の取得部が、自動ドアシステム４０から自動ドアを開いたという開情報を取得し、上記受信情報に加え、上記開情報を受信したときに対応情報を送信する。
【００７２】
より詳細には、自動ドアシステム４０と情報通知サーバ５０とはネットワークで通信可能に接続されており、自動ドアシステム４０は自動ドアを開けたときに開情報を情報通知サーバ５０に送信する。そして、情報通知サーバ５０の対応情報抽出部５０２は、受信情報に加え、上記取得部で上記開情報を受信したときに、対応情報の抽出を行う。そして、対応情報送信部５０３は抽出した対応情報を送信する。
【００７３】
これにより、自動ドアシステム４０の自動ドアが開いたときに対応情報を送信することができる。よって、携帯通信端末１０のユーザが自動ドアシステム４０の近傍まではきたが通過はしていない場合に対応情報を送信してしまうことを防止することができる。
【００７４】
なお、自動ドアシステム４０と情報通知サーバ５０とが直接通信可能に接続されていない場合、自動ドアシステム４０が開情報を携帯通信端末１０に送信し、携帯通信端末１０から情報通知サーバ５０に開情報が送信される構成であってもよい。この場合、自動ドアシステム４０のＢＬＥモジュール４１０から発信される信号に開情報を含めて送信してもよいし、これとは異なる通信手段により開情報を送信してもよい。
【００７５】
〔変形例２〕
上述した実施形態では、自動ドアシステム４０のＢＬＥモジュール４１０は、場所属性識別情報を含む信号を送信し、携帯通信端末１０は当該信号を受信したときに、受信情報の送信、対応情報の受信を行っていた。
【００７６】
本変形例では、ＢＬＥモジュール４１０から送信される信号に、自動ドアシステム４０の自動ドアが開かれたことを示す開情報を含める。そして、携帯通信端末１０では、開情報を含む受信情報を情報通知サーバ５０に送信する。
【００７７】
より詳細には、自動ドアシステム４０のドア制御部４５０は、自動ドアを開く制御を行うとき、その旨をＢＬＥモジュール４１０に通知する。そして、ＢＬＥモジュール４１０は、場所属性識別情報を含む信号を周期的に送信するとともに、ドア制御部４５０から上記通知を受けた場合、上記信号に開情報を含めて送信する。
【００７８】
そして、携帯通信端末１０の受信情報生成部１０１は、自動ドアシステム４０から受信した信号に開情報が含まれている場合、開情報を含む受信情報を生成し、情報通知サーバ５０に送信する。
【００７９】
情報通知サーバ５０の受信情報受信部５０１は、受信情報に開情報が含まれているか否かを判断し、開情報が含まれている場合、受信情報を対応情報抽出部５０２に通知する。
【００８０】
これにより、受信情報に開情報が含まれていない場合、対応情報を送信しないので、携帯通信端末１０のユーザが自動ドアシステム４０の近傍まではきたが通過はしていない場合に対応情報を送信してしまうことを防止することができる。
【００８１】
なお、開情報の有無を情報通知サーバ５０で判断するのではなく、携帯通信端末１０で判断する構成であってもよい。すなわち、携帯通信端末１０の受信情報生成部１０１は、自動ドアシステム４０から受信した信号に開情報が含まれているか否かを判断し、開情報が含まれている場合は受信情報を生成する。一方、開情報が含まれていなければ受信情報は生成しない。これにより、上述した効果と同様の効果を奏することができる。
【００８２】
〔変形例３〕
上述した実施形態では、ＢＬＥモジュール４１０は周期的に信号を発信していた。本変形例では、ドアセンサ部４４０の検知結果と連動してＢＬＥモジュール４１０は信号を発信する。
【００８３】
より詳細には、自動ドアシステム４０のドアセンサ部４４０は、検知対象を検知したとき、その旨をＢＬＥモジュール４１０に通知する。ＢＬＥモジュール４１０は、ドアセンサ部４４０から上記通知を受けたときのみ、信号を発信する。また、信号は、上記通知を受けたときから所定期間、所定の周期で発信する。
【００８４】
これにより、自動ドアシステム４０からは、ドアセンサ部４４０は、検知対象を検知したときのみ信号が発信される。よって、携帯通信端末１０が信号を受信した場合、それはドアセンサ部４４０が検知対象を検知したとき、すなわち、自動ドアシステム４０の自動ドアが開くときとなる。換言すれば、携帯通信端末１０のユーザが自動ドアを通過するときである。したがって本変形例によれば、ユーザが自動ドアを通過するタイミングで対応情報を通知することができる。
【００８５】
〔変形例４〕
上述した実施形態では、対応情報としてユーザの意図とは関係しないクーポンを例に挙げて説明した。本変形例では、対応情報としてユーザによって予め登録された情報を抽出する。
【００８６】
より詳細には、ユーザは、携帯通信端末１０またはネットワークに接続可能なパーソナルコンピュータ等の情報通知サーバ５０と通信可能な装置を用いて、入店時に通知されたい情報を情報通知サーバ５０に予め登録する。通知されたい情報とは、例えば買い物リスト等である。
【００８７】
そして、情報通知サーバ５０の対応情報抽出部５０２は、携帯通信端末１０から受信情報を受信した場合、端末識別情報に対応するユーザによって予め登録された対応情報を抽出し、対応情報送信部５０３は当該対応情報を送信する。
【００８８】
これにより、ユーザは、店舗等の入店時に当該対応情報（買い物リスト）を確認することができる。
【００８９】
〔ソフトウェアによる実現例〕
携帯通信端末１０および情報通知サーバ５０の制御ブロック（特にプロセッサ１００（受信情報生成部１０１、対応情報受信部１０２）およびプロセッサ５００（受信情報受信部５０１、対応情報抽出部５０２、対応情報送信部５０３））は、集積回路（ＩＣチップ）等に形成された論理回路（ハードウェア）によって実現してもよいし、ソフトウェアによって実現してもよい。
【００９０】
後者の場合、携帯通信端末１０および情報通知サーバ５０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９２】
１  情報通知システム
１０  携帯通信端末
４０  自動ドアシステム
５０  情報通知サーバ
１００  プロセッサ
１０１  受信情報生成部（端末受信部、送信部）
１０２  対応情報受信部
１１０  メモリ
１２０  ＢＬＥモジュール
１３０  タッチパネルディスプレイ（表示部）
１４０  ネットワークモジュール
４００  ＣＡＮ通信網
４１０  ＢＬＥモジュール（信号発信装置）
４３０  ドアシステム設定部
４４０  ドアセンサ部
４５０  ドア制御部
４６０  ドア駆動部
４７０  ドア部（自動ドア）
５００  プロセッサ
５０１  受信情報受信部（サーバ受信部）
５０２  対応情報抽出部
５０３  対応情報送信部（通知部）
５１０  メモリ
５１１  ユーザ対応テーブル
５１２  ユーザ情報
５１３  対応情報
５２０  ネットワークモジュール
【図１】
2019159496.tif 000003
【図２】
2019159496.tif 000004
【図３】
2019159496.tif 000005
【図４】
2019159496.tif 000006
【図５】
2019159496.tif 000007